(57)【特許請求の範囲】
【請求項１】
建物の外壁パネルよりも屋内側に配置された柱部材であり前記外壁パネルと隣り合う位置に形成された開口部近傍に位置する柱部材の周りに設けられた耐火ユニットであって、
前記柱部材と前記開口部との間に配置される第１ボード、及び、前記柱部材よりも屋内側に配置される第２ボードの双方を固定するために該双方よりも前記柱部材に近い位置に配置されたボード固定体を備え、
該ボード固定体は、
前記第１ボードが固定され、前記第１ボードと前記柱部材との間に位置する第１固定部と、
前記第２ボードが固定され、前記第１固定部と交差した状態で前記第２ボードと前記柱部材との間に位置する第２固定部と、
前記ボード固定体を前記建物に固定するために前記第１固定部及び前記第２固定部のうちの少なくとも前記第１固定部から延出して形成された延出部と、を有し、
該延出部は、上下方向における前記第１固定部の端から延出していることを特徴とする耐火ユニット。
【請求項２】
前記ボード固定体は、折り曲げ加工された板金部材からなる取り付け金具であり、
該取り付け金具は、角筒形状となった前記柱部材の脇位置に配置されており、前記第１固定部及び前記第２固定部を備えるとともに、
前記延出部と、
前記第２固定部とは反対側で前記第１固定部と交差した状態で前記外壁パネルと前記柱部材との間に位置する交差部と、を更に備え、
前記延出部は、前記第１固定部の上端及び下端からそれぞれ前記第１固定部と直交する方向に沿って延出しており、
前記第１固定部の上端から延出した前記延出部は、前記建物の天井部に固定されており、前記第１固定部の下端から延出した前記延出部は、前記建物の床部に固定されていることを特徴とする請求項１に記載の耐火ユニット。
【請求項３】
前記第１固定部の前記第１ボードとの対向面に接合されることで前記第１固定部に前記第１ボードが固定され、
前記第１ボードが前記第１固定部に固定された状態において、前記第１固定部の下端から延出した前記延出部は、該延出部上に載った前記第１ボードによって覆い隠されることを特徴とする請求項２に記載の耐火ユニット。
【請求項４】
前記柱部材の外側面に巻き付けられた状態で配置されている耐火材を更に備え、
該耐火材のうち、前記外側面の中で前記外壁パネルが配置された側に位置する面と対向する部分は、途切れて隙間を形成しており、
前記取り付け金具のうち、前記第１固定部は、前記耐火材と前記第１ボードとの間に配置され、前記第２固定部は、前記耐火材と前記第２ボードとの間に配置され、前記交差部は、前記耐火材と前記外壁パネルとの間に配置されていることを特徴とする請求項２又は３に記載の耐火ユニット。
【請求項５】
前記第２固定部及び前記交差部の各々は、該各々において前記第１固定部とは反対側に位置する端部が前記柱部材の外側面に沿うように平板状に延出していることを特徴とする請求項２乃至４のいずれか一項に記載の耐火ユニット。
【請求項６】
前記第２固定部及び前記交差部の各々は、該各々において前記第１固定部とは反対側に位置する端部が前記柱部材の外側面に向かうように折れ曲がっていることを特徴とする請求項２乃至４のいずれか一項に記載の耐火ユニット。
【請求項７】
前記第２固定部及び前記交差部の各々は、前記柱部材の外側面に向かっている前記端部と該端部に隣接する隣接部とがなす折れ曲がり角度が鋭角を成すように折れ曲がっており、かつ、前記折れ曲がり角度の大きさが変化するように弾性変形可能であることを特徴とする請求項６に記載の耐火ユニット。
【発明の詳細な説明】
【技術分野】
【０００１】
本発明は、建物の柱部材の周りに設けられた耐火ユニットに係り、特に、建物の外壁パネルと隣り合う位置に形成された開口部近傍に位置する柱部材、の周りに設けられた耐火ユニットに関する。
【背景技術】
【０００２】
建物の周囲又は建物内部で火災が発生したときに延焼や建物の倒壊を抑制する性能が建物の仕様として求められているが、かかる性能を具備する建物の構造については、法令で定められている。例えば、法令で定められている耐火・準耐火構造に関して言うと、火災に見舞われた際に建物各部、具体的には柱部材や外壁等が所定時間以上、構造耐力上支障を招かない変形・溶解・破壊その他の損傷を生じないことが必要となる。このため、耐火・準耐火構造を採用した建物では、柱部材の周りに断熱材が取り付けられている場合がある。
【０００３】
柱部材の周りに断熱材を設ける構成について、その一例を示すと、特許文献１に示す構成が挙げられる。特許文献１では、複数の耐火ボード３１を鉄骨柱３２の外周面に接するように図１０に示す如く角筒状に建て込み、これら耐火ボード３１の隣接側部同士を略Ｌ字形状の耐火板部材３３で連結し、耐火板部材３３と耐火ボード３１とは連結ピン３４を介して互いに固定されている。図１０は、柱部材の周りに配置された断熱材についての従来例を示した図である。
【先行技術文献】
【特許文献】
【０００４】
【特許文献１】特開２００４−１５００５２号公報
【発明の概要】
【発明が解決しようとする課題】
【０００５】
ところで、通常の建物には、窓やドアによって塞がれる開口部が設けられているが、建物の周囲や建物内部で発生した火災において火や熱風が上記の開口部を通り抜けた際には、開口部近傍に配置された柱部材が高温に晒されてしまうことになる。このため、開口部近傍に配置された柱部材に対しては、より高い耐火性能が求められるようになる。
【０００６】
一方、開口部近傍に配置された柱部材については、その周りに、建物内で発生した火災から柱部材を保護するための内壁用ボードが設けられるとともに、開口部の縁に配置される額縁を取り付けるための下地用ボードが設けられる。したがって、開口部近傍に配置された柱部材に対しては、耐火性能を確保しつつ、当該柱部材の周りに上記のボードを適切に配置することを可能とする構成が求められている。
【０００７】
ここで、上述した構成を実現するにあたり特許文献１に示す構成を適用した場合には、柱部材の外周面に接するようにボードを取り付けることになる。このため、仮に柱部材の外側面とボードとの間に幾らかの間隔が必要となるケース、例えば、柱部材に断熱材を巻き付けるような場合には対応できなくなってしまう。
【０００８】
なお、近年では、建物内の断熱性や気密性を向上させる目的から、柱部材を含む躯体の外側に断熱材を配置した、所謂、外張り断熱式の建物が建設されてきており、かかる建物においても、開口部近傍に配置された柱部材について耐火性能を確保しつつ、当該柱部材の周りに上記のボードを適切に配置することが求められている。
【０００９】
そこで、本発明は、上記の課題に鑑みてなされたものであり、その目的とするところは、建物、特に、外張り断熱式の建物において開口部近傍に配置された柱部材に対する耐火性能を向上させ、当該柱部材の周辺に配置されるボードを適切に配置することが可能な耐火ユニットを提供することである。
【課題を解決するための手段】
【００１０】
前記課題は、本発明の耐火ユニットによれば、建物の外壁パネルよりも屋内側に配置された柱部材であり前記外壁パネルと隣り合う位置に形成された開口部近傍に位置する柱部材の周りに設けられた耐火ユニットであって、前記柱部材と前記開口部との間に配置される第１ボード、及び、前記柱部材よりも屋内側に配置される第２ボードの双方を固定するために該双方よりも前記柱部材に近い位置に配置されたボード固定体を備え、該ボード固定体は、前記第１ボードが固定され、前記第１ボードと前記柱部材との間に位置する第１固定部と、前記第２ボードが固定され、前記第１固定部と交差した状態で前記第２ボードと前記柱部材との間に位置する第２固定部と、前記ボード固定体を前記建物に固定するために前記第１固定部及び前記第２固定部のうちの少なくとも前記第１固定部から延出して形成された延出部と、を有し、該延出部は、上下方向における前記第１固定部の端から延出していることにより解決される。
【００１１】
上記の耐火ユニットは、上記の第１ボード及び第２ボードの留め具としてのボード固定体を備えているので、開口部近傍に位置する柱部材の周りに第１ボード及び第２ボードを適切に配置することが可能となる。なお、ボード固定体は、柱部材とボードとの間に配置されているので、柱部材の外側面とボードとの間にスペースが必要となる場合にも対応することが可能である。
また、ボード固定体は、開口部と柱部材の間、より厳密には開口部と柱部材との間に位置する第１ボードよりも柱部材寄りの位置にあるので、例えば開口部を通り抜ける火や熱風から柱部材を保護する耐火材として機能することになる。同様に、ボード固定体は、柱部材よりも屋内側に位置し、より厳密には柱部材から見て屋内側に位置する第２ボードよりも柱部材寄りの位置にあるので、屋内側からの火や熱風から柱部材を保護する。この結果、建物の開口部近傍に配置された柱部材に対する耐火性能を向上させることが可能となる。さらに、延出部が上下方向における第１固定部の端から延出されているので、ボードの取り付けに干渉しない位置でボード固定体を建物に対して容易に固定することが可能となる。
【００１２】
また、上記の耐火ユニットにおいて、前記ボード固定体は、折り曲げ加工された板金部材からなる取り付け金具であり、該取り付け金具は、角筒形状となった前記柱部材の脇位置に配置されており、前記第１固定部及び前記第２固定部を備えるとともに、前記延出部と、前記第２固定部とは反対側で前記第１固定部と交差した状態で前記外壁パネルと前記柱部材との間に位置する交差部と、を更に備え、前記延出部は、前記第１固定部の上端及び下端からそれぞれ前記第１固定部と直交する方向に沿って延出しており、前記第１固定部の上端から延出した前記延出部は、前記建物の天井部に固定されており、前記第１固定部の下端から延出した前記延出部は、前記建物の床部に固定されていることとしてもよい。
以上の構成であれば、板金部材を折り曲げ加工することでボード固定体が構成されているので、ボード固定体を容易に用意することが可能となる。さらに、延出部が第１固定部の上端及び下端から延出されているので、ボードの取り付けに干渉しない位置でボード固定体を建物に対して容易に固定することが可能となる。
【００１３】
また、上記の耐火ユニットにおいて、前記第１固定部の前記第１ボードとの対向面に接合されることで前記第１固定部に前記第１ボードが固定され、前記第１ボードが前記第１固定部に固定された状態において、前記第１固定部の下端から延出した前記延出部は、該延出部上に載った前記第１ボードによって覆い隠されることとしてもよい。
以上の構成であれば、第１ボードを第１固定部に固定させることで第１ボードの下に延出部が隠れるようになるので、延出部が目立たなくなる結果、建物の施工品質が向上するようになる。
【００１４】
また、上記の耐火ユニットにおいて、前記柱部材の外側面に巻き付けられた状態で配置されている耐火材を更に備え、該耐火材のうち、前記外側面の中で前記外壁パネルが配置された側に位置する面と対向する部分は、途切れて隙間を形成しており、前記取り付け金具のうち、前記第１固定部は、前記耐火材と前記第１ボードとの間に配置され、前記第２固定部は、前記耐火材と前記第２ボードとの間に配置され、前記交差部は、前記耐火材と前記外壁パネルとの間に配置されていると好適である。
以上の構成であれば、柱部材に耐火材が巻き付けられているので、当該柱部材についての耐火性能がより一層向上することになる。また、上記の構成では、柱部材の周りに耐火材配置用のスペースを要するので、柱部材の外側面とボードとの間にスペースを設けたとしても適切にボードを配置することを可能とする本発明の効果がより有意義なものとなる。
【００１５】
また、上記の耐火ユニットにおいて、前記第２固定部及び前記交差部の各々は、該各々において前記第１固定部とは反対側に位置する端部が前記柱部材の外側面に沿うように平板状に延出していることとしてもよい。
以上の構成であれば、第２固定部及び交差部の各々が、第１固定部とは反対側に位置する端部が柱部材の外側面に沿うように平板状に延出しているため、第２固定部及び交差部の各々の先端と柱部材との接触が回避される。このように第２固定部や交差部の各々の先端が柱部材と接触するのを回避することで、当該接触に伴う柱部材の損傷を抑えることが可能となる。
【００１６】
一方、上記の耐火ユニットにおいて、前記第２固定部及び前記交差部の各々は、該各々において前記第１固定部とは反対側に位置する端部が前記柱部材の外側面に向かうように折れ曲がっていることとしてもよい。
以上の構成であれば、第２固定部及び交差部の各々が、第１固定部とは反対側に位置する端部が柱部材の外側面に向かうように折れ曲がっているため、当該端部にて柱部材と接触するようになる。このように第２固定部や交差部を積極的に柱部材と接触させることで、柱部材に対してボード固定体の位置（相対位置）を容易に位置決めすることが可能となる。
【００１７】
さらに、上記の耐火ユニットにおいて、前記第２固定部及び前記交差部の各々は、前記柱部材の外側面に向かっている前記端部と該端部に隣接する隣接部とがなす折れ曲がり角度が鋭角を成すように折れ曲がっており、かつ、前記折れ曲がり角度の大きさが変化するように弾性変形可能であることが望ましい。
以上の構成であれば、第２固定部及び交差部の各々が、柱部材の外側面に向かっている端部と該端部に隣接する隣接部とがなす折れ曲がり角度が変化するように弾性変形するので、その弾性力を利用してボード固定体の位置を保持することが可能となる。これにより、ボード固定体の位置決めをより容易に行うことが可能となる。
【発明の効果】
【００１８】
本発明の耐火ユニットによれば、外張り断熱方式の建物において開口部近傍に位置する柱部材の周りにボード（例えば、内壁をなすボード）を適切に配置することが可能であり、特に、柱部材の外側面とボードとの間にスペースが必要となる場合にも適切に配置することが可能である。また、ボード固定体自体が耐火材として機能するので、建物の開口部近傍に配置された柱部材に対する耐火性能が向上することになる。
【図面の簡単な説明】
【００１９】
【図１】本発明の一実施形態に係る耐火ユニットの全体像を示す平面図である。
【図２】本発明の一実施形態に係るボード固定体の斜視図である。
【図３】ボード固定体を設置した状態を示した立面図である。
【図４】柱部材周りの部品配置を示した平面図である。
【図５】耐火ユニットの変形例を示した図である。
【図６】耐火ユニットの他の変形例を示した図である（その１）。
【図７】耐火ユニットの他の変形例を示した図である（その２）。
【図８】第１変形例に係るボード固定体を示した図である。
【図９】第２変形例に係るボード固定体を示した図である。
【図１０】柱部材の周りに配置された断熱材についての従来例を示した図である。
【発明を実施するための形態】
【００２０】
＜＜本発明の一実施形態に係る耐火ユニットの構成について＞＞
以下、本発明の一実施形態（以下、本実施形態）について図面を参照しながら説明する。
本実施形態に係る耐火ユニットＳは、住宅等の建物、特に準耐火構造を採用した建物において利用されるものである。先ず、本実施形態に係る耐火ユニットＳの全体像について図１を参照しながら説明する。図１は、本実施形態に係る耐火ユニットＳの全体像を示す平面図である。
【００２１】
本実施形態に係る耐火ユニットＳは、建物の開口部１近傍に位置する柱部材（以下、開口部近傍柱）２に対して設けられたものであり、より詳しくは、開口部近傍柱２の耐火性能を向上させるために設けられている。ここで、開口部１とは、建物の外壁部のうち、外壁パネル３が無い部位、換言すると外壁パネル３と隣り合う位置に形成され、窓やドアが取り付けられる部位である。かかる開口部１により、建物の屋内空間と屋外空間とが連通している。なお、本実施形態では、開口部１の縁がクロス巻き込み仕上げとなっており、図１に示す通り、外壁パネル３と後述する石膏ボード１３との取り合い部分に見切り額縁４が取り付けられている。
【００２２】
また、外壁パネル３は、図１に示すように多層構造となっており、外側から外壁材層３ａ、通気層３ｂ、高密度グラスウールを充填してなるボード層３ｃ及びグラスウール層３ｄからなる。なお、本実施形態において、開口部近傍柱２を含む建物の躯体柱は、いずれも外壁パネル３よりも屋内側に配置されている。つまり、本実施形態に係る建物は、躯体柱の外側に断熱材（具体的には、外壁パネル３のボード層３ｃやグラスウール層３ｄ）を配置させる工法、すなわち「外張り断熱工法」にて建設されている。
【００２３】
なお、開口部近傍柱２は、角筒状（厳密には四角筒状）の鉄柱であり、図１に示すように、開口部１から見て最寄りの外壁パネル３とその隣に位置する外壁パネル３との間の隙間である目地Ｍの奥側に位置し、上記２つの外壁パネル３の裏面（屋内側の面）から幾分の距離を隔てた位置に配置されている。
【００２４】
本実施形態に係る耐火ユニットＳの構成について説明すると、図１に図示の耐火材１１、熱橋補強材１２、石膏ボード１３、１４及び取り付け金具２０を主な構成要素として耐火ユニットＳが構成されている。
【００２５】
耐火材１１は、開口部近傍柱２の外側面に巻き付けられた状態で配置された略Ｃ字状の断熱材である。より具体的に説明すると、耐火材１１は、ブランケット状の連続体をなしており、例えば、ニチアス社のファインフレックス（登録商標）によって構成される。そして、耐火材１１は、開口部近傍柱２の外壁面に巻き付けられた後に不図示のワイヤにて縛られることにより開口部近傍柱２に締結される。
【００２６】
ここで、本実施形態に係る耐火材１１は、図１に示すように、開口部近傍柱２の外側面のうち、屋内側に位置する面から外壁パネル３側に向かって廻り込んでいる。そして、耐火材１１は、その両端部が開口部近傍柱２の角部に沿って屈曲し、同柱２の外側面中、外壁パネル３が配置された側に位置する面の前方に差し掛かった状態で保持される。この際、耐火材１１の両端部は、その間に幾分の隙間Ｂを形成するように互いに離間している。換言すると、耐火材１１のうち、開口部近傍柱２の外側面の中で外壁パネル３が配置された側に位置する面と対向する部分は、途切れて隙間Ｂを形成している。
【００２７】
熱橋補強材１２は、高性能グラスウールからなり、外壁パネル３の裏面と開口部近傍柱２との間のスペース内に配置されている。ここで、熱橋補強材１２が配置されているスペースについては、図１に示すように、耐火材１１が存在する領域と、耐火材１１が途切れて隙間Ｂが形成されている領域とが混在しており、熱橋補強材１２のうち、後者の領域内に位置する部分については、熱橋補強材１２の本来の厚みを保っている。これに対して、前者の領域内に位置する部分については、耐火材１１に押し退けられる分、押し潰れて圧縮された状態となっている。
【００２８】
なお、熱橋補強材１２は、主に開口部近傍柱２の外表面の断熱、特に結露防止を目的として設けられるものであるため、準耐火構造を実現する上で必須の要素ではなく、熱橋補強材１２を設けない構成とすることとしてもよい。
【００２９】
石膏ボード１３，１４は、防火壁として機能し、開口部１と開口部近傍柱２との間、及び、建物の屋内空間と開口部近傍柱２との間にそれぞれ配置されている。また、本実施形態に係る石膏ボード１３，１４は、いずれもひる石入りの強化石膏ボードとなっており、通常の石膏ボードよりも耐火性が高いものとなっている。
【００３０】
各石膏ボード１３，１４の配置位置について説明すると、一方の石膏ボード１３は、本発明の第１ボードに相当し、開口部１と開口部近傍柱２との間で開口部１に沿って配置されている。この石膏ボード１３は、開口部近傍柱２の設置スペースと開口部１とを仕切り、開口部１を通過する火や熱風から開口部近傍柱２を保護している。かかる石膏ボード１３を、以下では開口部側ボード１３と呼ぶこととする。
【００３１】
他方の石膏ボード１４は、本発明の第２ボードに相当し、開口部近傍柱２よりも屋内側の位置で開口部側ボード１３と直交するように配置されている。この石膏ボード１４は、開口部近傍柱２の設置スペースと屋内空間とを仕切る壁、すなわち、内壁を構成しており、屋内空間から発せられる火や熱風から開口部近傍柱２を保護している。かかる石膏ボード１４を、以下では屋内側ボード１４と呼ぶこととする。
【００３２】
また、本実施形態では、開口部側ボード１３と屋内側ボード１４とが互いに別体をなした石膏ボードであることとしたが、これに限定されず、例えば、開口部側ボード１３に相当する部分と屋内側ボード１４に相当する部分とが一体化している構成であることとしてもよい。
【００３３】
取り付け金具２０は、開口部側ボード１３及び屋内側ボード１４を固定するためのボード固定体であり、図１に示すように、両ボード１３，１４よりも開口部近傍柱２に近い位置、具体的には開口部近傍柱２の脇位置に配置されている。取り付け金具２０についてより詳しく説明すると、取り付け金具２０は、図２に示すような外形形状を成すように折り曲げ加工された板金部材（具体的には、鉄板やアルミ合金板等）からなる。図２は、本実施形態に係る取り付け金具２０の斜視図である。
【００３４】
また、取り付け金具２０は、図２に示すように、平面視で略Ｕ字状の本体部２１と、本体部２１の上端及び下端から延出した延出部２５，２６とを有する。本体部２１は、３つの部分により構成され、そのうちの一つは、取り付け金具２０がその配置位置に配置された状態で開口部１に面する基準部２２である。残りの部分は、基準部２２の幅方向端部と隣接し基準部２２と直交するように設けられた部分であり、より屋内側に位置する屋内側部２３と、より外壁パネル３側に位置する屋外側部２４とである。
【００３５】
基準部２２は、本発明の第１固定部に相当し、上下方向に長い略矩形状の部分である。なお、基準部２２の高さ（上下方向の長さ）は、図３に示すように、建物の床面ＦＳから天井面ＣＳまでの距離と略等しくなっている。図３は、取り付け金具２０を設置した状態を示した立面図である。
【００３６】
そして、取り付け金具２０の設置時には、図１に示す通り、基準部２２が開口部近傍柱２と開口部１との間に位置し開口部１に沿うように、取り付け金具２０がその配置位置にセットされる。なお、本実施形態では、開口部近傍柱２の外表面に耐火材１１が巻き付けられており、取り付け金具２０を設置すると、基準部２２が耐火材１１に接するようになっている。
【００３７】
取り付け金具２０の設置後には、図４に示すように、基準部２２の外表面のうち、開口部１に面する側の面に開口部側ボード１３が接合される。このように本実施形態では、開口部側ボード１３が基準部２２の開口部側ボード１３との対向面に接合されることで取り付け金具２０に固定されることとなっている。図４は、開口部近傍柱２周りの部品配置を示した平面図である。
【００３８】
屋内側部２３は、本発明の第２固定部に相当し、本実施形態では、基準部２２とは反対側に位置する端部が真っ直ぐ延びるように平板状に延出している。なお、本実施形態において、屋内側部２３の高さ（上下方向の長さ）は、基準部２２の高さと一致している。
【００３９】
そして、取り付け金具２０がその設置位置に設置されると、図１に示す通り、屋内側部２３は、開口部近傍柱２と屋内空間との間で開口部近傍柱２の外表面（厳密には、最も屋内側に位置する面）に沿った姿勢で配置されるようになる。なお、本実施形態では、開口部近傍柱２の外表面に耐火材１１が巻き付けられており、取り付け金具２０を設置すると、屋内側部２３が耐火材１１と接するようになっている。
【００４０】
以上の状態において、屋内側から屋内側ボード１４が建て込まれ、その後、図４に示すように同ボード１４の幅方向端部（厳密には、開口部１寄りの端部）が屋内側部２３にネジ止めされる。このように本実施形態では、屋内側ボード１４がその幅方向端部にて屋内側部２３にネジ止めされることで取り付け金具２０に固定されることとなっている。
【００４１】
屋外側部２４は、本発明の交差部に相当し、屋内側部２３とは反対側で基準部２２と直交している部分であり、本実施形態では、基準部２２とは反対側に位置する端部が真っ直ぐ延びるように平板状に延出している。なお、本実施形態において、屋外側部２４の高さ（上下方向の長さ）は、基準部２２の高さと一致している。
そして、取り付け金具２０がその設置位置に設置されると、図１に示す通り、屋外側部２４は、開口部近傍柱２と外壁パネル３との間で開口部近傍柱２の外表面（厳密には、最も屋外側に位置する面）に沿った姿勢で配置されるようになる。なお、本実施形態では、開口部近傍柱２の外表面に耐火材１１が巻き付けられており、取り付け金具２０を設置すると、屋外側部２４が耐火材１１と接するようになっている。
【００４２】
以上のようにして取り付け金具２０は、開口部側ボード１３及び屋内側ボード１４を固定するための下地部品として機能する。特に、本実施形態では、開口部近傍柱２の外表面に耐火材１１が巻き付けられているので、各ボード１３，１４と開口部近傍柱２との間に耐火材１１を配置する分のスペースが設けられることになるが、かかる構成であっても取り付け金具２０を用いることで、適切に各ボード１３，１４を固定することが可能となる。
【００４３】
なお、各ボード１３，１４が取り付け金具２０に固定された状態において、当該取り付け金具２０のうち、基準部２２は、耐火材１１と開口部側ボード１３との間に挟まれた状態で配置されており、屋内側部２３は、耐火材１１と屋内側ボード１４との間に挟まれた状態で配置されている。また、屋外側部２４は、耐火材１１と外壁パネル３との間に配置されている。
【００４４】
そして、以上の位置関係により、取り付け金具２０のうち、基準部２２は、開口部１を通り抜ける火や熱風から開口部近傍柱２を保護する耐火材として機能するようになる。同様に、屋内側部２３は、屋内空間から発せられる火や熱風から開口部近傍柱２を保護する耐火材として機能し、屋外側部２４は、屋外から建物に向かってくる火や熱風から開口部近傍柱２を保護する耐火材として機能する。このように本実施形態では取り付け金具２０自体が耐火材として機能し、この結果、開口部近傍柱２に対する耐火性能が向上することになる。
【００４５】
ところで、上述した取り付け金具２０は、本体部２１の上端及び下端から延出した延出部２５，２６によって建物の所定部分、具体的には図３に示すように床部及び天井部に固定されている。延出部２５，２６は、取り付け金具２０のうち、基準部２２の上端及び下端からそれぞれ基準部２２と直交する方向に沿って延出している。このように延出部２５，２６が基準部２２の上端及び下端から延出されているので、開口部側ボード１３の取り付けに干渉しない位置で取り付け金具２０を建物に対して容易に固定することが可能となる。
【００４６】
なお、図２に示すように、延出部２５，２６が延出する向きは、屋内側部２３及び屋外側部２４が延出する向きとは反対の向きとなっている。これにより、屋内側ボード１４の取り付けにも干渉することなく、取り付け金具２０を建物に対してより一層容易に固定することが可能となる。
【００４７】
各延出部２５，２６の形状について説明すると、各延出部２５，２６は、略矩形状の部分であり、図２に示すように、基準部２２の横幅よりも幾分短い幅を有する。また、各延出部２５，２６の長手方向中央よりも幾分端側には長穴が形成されている。そして、取り付け金具２０が所定位置に配置された後に、上記の長穴にビスがセットされることで取り付け金具２０が固定される。つまり、図３に示すように、基準部２２の上端から延出した延出部２５は、建物の天井部に固定され、基準部２２の下端から延出した延出部２６は、建物の床部に固定される。
【００４８】
また、延出部２５，２６の延出量（延出方向の長さ）は、開口部側ボード１３の厚さよりも短くなっている。そして、開口部側ボード１３が取り付け金具２０の基準部２２に固定された状態では、図４に示すように、基準部２２の下端から延出した延出部２６の上に開口部側ボード１３が載るようになる。この結果、上記の延出部２６は、その上に載った開口部側ボード１３によって覆い隠されるようになる。これにより、延出部２６が目立たなくなり、金具が剥き出しになるのを回避し、以て建物の施工品質が向上するようになる。
【００４９】
＜＜その他の実施形態＞＞
上記の実施形態では、本発明の耐火ユニットについて一例を挙げて説明した。ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【００５０】
また、上記の実施形態では、開口部１の縁がクロス巻き込み仕上げとなっているケースを例に挙げて説明した。そして、上記の実施形態では、外壁パネル３と石膏ボード１３との取り合い部分に見切り額縁４が取り付けられており、当該石膏ボード１３が取り付け金具２０に取り付けられていることとした。ただし、これに限定されるものではなく、図５に示すように、開口部１の縁に額縁５を取り付けた仕様（額縁仕様）において当該額縁５の下地となる合板６（第１ボードに相当する）を固定する場合にも、本発明に係る取り付け金具２０は利用可能である。図５は、耐火ユニットＳの変形例を示した図である。
【００５１】
また、上記実施形態では、準耐火構造において開口部近傍柱２の周りに設置される耐火ユニットＳについて説明した。ただし、本発明に係る耐火ユニットＳは、準耐火構造のみに限定されるものではなく、防火構造においても利用可能である。具体的に説明すると、図６や図７に示すように、開口部近傍柱２の外周面に耐火材１１が巻き付けられておらず、さらに、ひる石入りの強化石膏ボード１３，１４が用いられないようなケースに対しても本発明は適用し得る。図６及び図７は、耐火ユニットＳの変形例、特に、防火構造にて用いられる例を示した図である。
【００５２】
より具体的に説明すると、図６に示すケースでは、開口部１の縁がクロス巻き込み仕上げとなっており、その下地材については、上記の実施形態で述べた石膏ボード（開口部側ボード）１３の代わりにダイライトボード７が用いられている。また、同図が示すケースでは、内壁用の部材として、上記の実施形態で述べた石膏ボード（屋内側ボード）１４の代わりに通常の石膏ボード８が用いられている。かかるケースでは、上記のダイライトボード７が第１ボードに相当し、上記の通常の石膏ボード８が第２ボードに相当する。そして、取り付け金具２０は、開口部近傍柱２の周囲に配置される上記ダイライトボード７及び通常の石膏ボード８を固定するために用いられることになる。
【００５３】
一方で、図７に示すケースでは、額縁仕様となっており、その下地として合板６が用いられている。また、図７に示すケースでは、図６に示すケースと同様に、内壁用の部材として通常の石膏ボード８が用いられているが、当該石膏ボード８と開口部近傍柱２との隙間を埋める目的から、石膏ボード８の裏面（開口部近傍柱２との対向面）に合板６が取り付けられている。かかるケースでは、額縁５の下地としての合板６が第１ボードに相当し、石膏ボード８の裏面に取り付けられた合板６が第２ボードに相当する。そして、取り付け金具２０は、上記の合板６を固定するために用いられることになる。
【００５４】
また、上記の実施形態では、取り付け金具２０の本体部２１が平面視で略Ｕ字状になっていることとした。つまり、上記の実施形態では、基準部２２と交差する屋内側部２３及び屋外側部２４が、いずれも、図４に示すように、基準部２２とは反対側に位置する端部が開口部近傍柱２の外側面に沿うように平板状に延出していることとした。このような構成であれば、屋内側部２３及び屋外側部２４の各々の先端が開口部近傍柱２と接触して同柱２の外表面を引っ掻いてしまうのを回避することができ、以て同柱２の損傷を抑えることが可能となる。
【００５５】
一方、取り付け金具２０の本体部２１の形状については他の形状も考えられ、例えば、図８に示すように平面視で略Ｃ字状の本体部１２１となった取り付け金具１２０であってもよい。すなわち、屋内側部１２３及び屋外側部１２４の各々の形状として、基準部１２２とは反対側に位置する端部１２３ａ、１２４ａが開口部近傍柱２の外側面に向かうように折れ曲がった形状が採用されることとしてもよい。このような構成であれば、図８に示すように、屋内側部１２３及び屋外側部１２４の各々がその端部１２３ａ、１２４ａにて開口部近傍柱２と接触するようになり、同柱２に対して取り付け金具１２０の位置（相対位置）を容易に位置決めすることが可能となる。
なお、図８は、第１変形例に係る取り付け金具１２０を示した図であり、同図には、当該取り付け金具１２０と開口部近傍柱２との位置関係を説明するために、開口部近傍柱２を破線にて示している。
【００５６】
また、図８に図示の形状を更に変形して、図９に示す本体部２２１の形状、すなわち、開口部近傍柱２の外側面に向かっている端部２２３ａ，２２４ａと当該端部２２３ａ，２２４ａに隣接する隣接部２２３ｂ、２２４ｂとがなす折れ曲がり角度（図９中、記号αにて表記）が鋭角を成すように屋内側部２２３及び屋外側部２２４の各々が折れ曲がっていることとしてもよい。さらに、上記のように構成された取り付け金具２２０は、折れ曲がり角度αの大きさが変化するように弾性変形可能であると望ましい。このような構成であれば、屋内側部２２３及び屋外側部２２４の各々がバネ性（弾性）を備えるので、取り付け金具２２０が開口部近傍柱２に当接して上記折れ曲がり角度αが変化するように弾性変形した際には弾性力が発生する。かかる弾性力を利用することで取り付け金具２２０の位置が良好に保持されるようになる。この結果、開口部近傍柱２に対する取り付け金具２２０の位置決めをより容易に行うことが可能となる。
なお、図９は、第２変形例に係る取り付け金具２２０を示した図であり、同図には、当該取り付け金具２２０と開口部近傍柱２との位置関係を説明するために、開口部近傍柱２を破線にて示している。
【符号の説明】
【００５７】
１  開口部、２  開口部近傍柱（柱部材）
３  外壁パネル
３ａ  外壁材層、３ｂ  通気層、３ｃ  ボード層、３ｄ  グラスウール層
４  見切り額縁、５  額縁、６  合板
７  ダイライトボード、８  石膏ボード
１１  耐火材
１２  熱橋補強材
１３  石膏ボード（第１ボード）
１４  石膏ボード（第２ボード）
２０，１２０，２２０  取り付け金具（ボード固定体）
２１，１２１，２２１  本体部
２２，１２２  基準部（第１固定部）
２３，１２３，２２３  屋内側部（第２固定部）
２４，１２４，２２４  屋外側部（交差部）
２５，２６  延出部
３１  耐火ボード、３２  鉄骨柱
３３  耐火板部材、３４  連結ピン
１２３ａ，１２４ａ，２２３ａ，２２４ａ  端部
２２３ｂ，２２４ｂ  隣接部
Ｂ  隙間
ＣＳ  天井面
ＦＳ  床面
Ｍ  目地
Ｓ  耐火ユニット
【図１】
0005914438.tif 000002
【図２】
0005914438.tif 000003
【図３】
0005914438.tif 000004
【図４】
0005914438.tif 000005
【図５】
0005914438.tif 000006
【図６】
0005914438.tif 000007
【図７】
0005914438.tif 000008
【図８】
0005914438.tif 000009
【図９】
0005914438.tif 000010
【図１０】
0005914438.tif 000011